(57)【要約】      （修正有）【課題】格納箱本体の開口を閉鎖するスライド扉の閉鎖位置と、格納箱本体の開口を全開する開放位置とにそれぞれ確実に保持し、消火栓の不使用時及び使用時にスライド扉が不用意に開いたり、閉じたりしないようにし、また、消火活動時に消火栓の操作方法を容易に認識できるようにするスライド扉式消火栓格納箱を提供する。【解決手段】建物内の壁面に設けられ、前面が開口されて内部に消火栓機器を収容する格納箱本体２と、格納箱本体２の前面に横方向へスライド自在に取り付けられ、格納箱本体２の開口を閉鎖する閉鎖位置と格納箱本体２の開口を全開する開放位置とを取り得るスライド扉３とから成るスライド扉式消火栓格納箱１に於いて、前記スライド扉３に、スライド扉３を閉鎖位置に保持する開放操作可能な開き止め機構９と、スライド扉３を開放位置に保持する閉鎖操作可能な閉まり止め機構１０とをそれぞれ設ける。【選択図】図２
0003176294.tif 000002
【実用新案登録請求の範囲】
【請求項１】
建物内の壁面に設けられ、前面が開口されて内部に消火栓機器を収容する格納箱本体（２）と、格納箱本体（２）の前面に横方向へスライド自在に取り付けられ、格納箱本体（２）の開口を閉鎖する閉鎖位置と格納箱本体（２）の開口を全開する開放位置とを取り得るスライド扉（３）とから成るスライド扉式消火栓格納箱（１）に於いて、前記スライド扉（３）に、スライド扉（３）を閉鎖位置に保持する開放操作可能な開き止め機構（９）と、スライド扉（３）を開放位置に保持する閉鎖操作可能な閉まり止め機構（１０）とをそれぞれ設けたことを特徴とするスライド扉式消火栓格納箱。
【請求項２】
開き止め機構（９）は、スライド扉（３）に設けられ、スライド扉（３）を閉鎖位置でロックするロック機構（１５）と、スライド扉（３）に設けられ、ロック機構（１５）を操作してロック機構（１５）のロック状態を解除し得る取っ手ユニット（１６）とから構成されていることを特徴とする請求項１に記載のスライド扉式消火栓格納箱。
【請求項３】
開き止め機構（９）のロック機構（１５）は、スライド扉（３）の裏面又は取っ手ユニット（１６）自体に設けられ、格納箱本体（２）に設けた受け金具（１７）又は格納箱本体（２）自体に係脱自在に係止されるラッチ錠（１５）から成ることを特徴とする請求項２に記載のスライド扉式消火栓格納箱。
【請求項４】
開き止め機構（９）のロック機構（１５）は、スライド扉（３）の裏面に設けられ、格納箱本体（２）に設けた金属製の受け板（１８）又は格納箱本体（２）自体に磁気吸着されてスライド扉（３）を閉鎖位置に保持するマグネットキャッチ（１０）から成ることを特徴とする請求項２に記載のスライド扉式消火栓格納箱。
【請求項５】
閉まり止め機構（１０）は、スライド扉（３）の裏面に設けられ、格納箱本体（２）に設けた金属製の受け板（１８）又は格納箱本体（２）自体に磁気吸着されてスライド扉（３）を開放位置に保持するマグネットキャッチ（１０）から成ることを特徴とする請求項１に記載のスライド扉式消火栓格納箱。
【請求項６】
閉まり止め機構（１０）は、スライド扉（３）の裏面に設けられ、格納箱本体（２）に設けた受け金具（１７）又は格納箱本体（２）自体に係脱自在に係止されるラッチ錠（１５）から成ることを特徴とする請求項１に記載のスライド扉式消火栓格納箱。
【請求項７】
消火栓の操作方法を記載した表示部（１１）を、格納箱本体（２）の消火栓機器の収納部とスライド扉（３）との間に設けたことを特徴とする請求項１に記載のスライド扉式消火栓格納箱。
【請求項８】
表示部（１１）は、格納箱本体（２）の開口周縁部の下端縁部に斜め上方を向く姿勢で設けられていること特徴とする請求項７に記載のスライド扉式消火栓格納箱。
【考案の詳細な説明】
【技術分野】
【０００１】
本考案は、例えば、病院や老人ホーム、オフィスビル、マンション、ホテル、旅館、学校等の建物内の廊下や通路に面した壁面又は壁面に形成した凹部に設置する屋内設置型の消火栓に用いられ、内部に消火栓弁やホース等の消火栓機器を収納する前面が開口された格納箱本体と、格納箱本体の開口を開閉する横方向（左右方向）へスライド自在なスライド扉とから成るスライド扉式消火栓格納箱の改良に係り、特に、スライド扉を格納箱本体の開口を閉鎖する閉鎖位置と格納箱本体の開口を全開する開放位置とにそれぞれ確実に保持し、消火栓の不使用時及び使用時にスライド扉が不用意に開いたり、閉じたりしないようにし、また、消火活動時に消火栓の操作方法を容易に認識できるようにしたスライド扉式消火栓格納箱に関するものである。
【背景技術】
【０００２】
一般に、病院や老人ホーム等の建物内の廊下や通路に面した壁面に設置する屋内設置型の消火栓に用いる消火栓格納箱は、前面に設けた扉が手前側（廊下や通路側）へ弧を描いて開くものが殆んどであり、火災等の消火活動時に使用した場合、扉が廊下や通路側へ飛びした格好になるため、避難者や消火活動をする人にとって障害になり、特に、手すり下に設置された消火栓の場合、扉が手前側へ開くと、手すりが必要な避難者にとっては安全で迅速な避難ができないと云う問題があった。
【０００３】
また、消火活動時に使用者が消火栓格納箱内のホースを繰り出し操作する場合、扉の吊り元側へホースを引き出すこともあり、この場合にホースが廊下側や通路側へ飛びした扉に引っ掛ったりして操作性が悪くなると云う問題があった。
【０００４】
そこで、上述した問題が解決するため、格納箱本体の前面に設けた扉を横方向へスライドさせて開閉するスライド扉式の消火栓格納箱が開発された。
【０００５】
従来、この種のスライド扉式の消火栓格納箱としては、例えば、実用新案登録第３０４９４６２号公報（特許文献１参照）に開示された消火栓格納箱が知られている。
【０００６】
即ち、前記消火栓格納箱は、図示していないが、建物内の壁面に設けられ、前面が開口されて内部に消火栓弁やホース等を収納する格納箱本体と、格納箱本体の開口の上端縁部及び下端縁部に案内レールを介して横方向へスライド自在に取り付けられ、格納箱本体の開口を開閉する扉とから成る。
【０００７】
而して、この消火栓格納箱は、扉の開放時に扉が消火栓格納箱の前面に対して平行に移動し、廊下や通路側へ飛び出すことがないため、扉が避難者の避難の妨げとなったり、或いは使用者が消火栓格納箱内からホースを引き出す際に扉が邪魔になることがなく、ホースの引き出し方向に拘わらず、同じ操作性を維持できると云う利点がある。
【０００８】
しかし、従来のスライド扉式の消火栓格納箱は、扉に開き止めや閉まり止めがなく、扉に歩行者や運搬物が接触した時に扉が容易に開いたり、閉まったりすると云う不具合が発生すると云う問題があった。
【０００９】
また、消火栓格納箱の構造上、消火栓の操作方法の表示を扉の表面や格納箱本体のホース収納部の奥に表示することとなり、デザイン性や操作性に劣ると云う問題があった。
【先行技術文献】
【特許文献】
【００１０】
【特許文献１】実用新案登録第３０４９４６２号公報
【考案の概要】
【考案が解決しようとする課題】
【００１１】
本考案は、このような問題点に鑑みて為されたものであり、その目的は、スライド扉を格納箱本体の開口を閉鎖する閉鎖位置と格納箱本体の開口を全開する開放位置とにそれぞれ確実に保持し、消火栓の不使用時及び使用時にスライド扉が不用意に開いたり、閉じたりしないようにし、また、消火活動時に消火栓の操作方法を容易に認識できるようにしたスライド扉式消火栓格納箱を提供することにある。
【課題を解決するための手段】
【００１２】
上記目的を達成するために、本考案の請求項１の考案は、建物内の壁面に設けられ、前面が開口されて内部に消火栓機器を収容する格納箱本体と、格納箱本体の前面に横方向へスライド自在に取り付けられ、格納箱本体の開口を閉鎖する閉鎖位置と格納箱本体の開口を全開する開放位置とを取り得るスライド扉とから成るスライド扉式消火栓格納箱に於いて、前記スライド扉に、スライド扉を閉鎖位置に保持する開放操作可能な開き止め機構と、スライド扉を開放位置に保持する閉鎖操作可能な閉まり止め機構とをそれぞれ設けたことに特徴がある。
【００１３】
本考案の請求項２の考案は、請求項１に記載の考案に於いて、開き止め機構が、スライド扉に設けられ、スライド扉を閉鎖位置でロックするロック機構と、スライド扉に設けられ、ロック機構を操作してロック機構のロック状態を解除し得る取っ手ユニットとから構成されていることに特徴がある。
【００１４】
本考案の請求項３の考案は、請求項２に記載の考案に於いて、開き止め機構のロック機構が、スライド扉の裏面又は取っ手ユニット自体に設けられ、格納箱本体に設けた受け金具又は格納箱本体自体に係脱自在に係止されるラッチ錠から成ることに特徴がある。
【００１５】
本考案の請求項４の考案は、請求項２に記載の考案に於いて、開き止め機構のロック機構が、スライド扉の裏面に設けられ、格納箱本体に設けた金属製の受け板又は格納箱本体自体に磁気吸着されてスライド扉を閉鎖位置に保持するマグネットキャッチから成ることに特徴がある。
【００１６】
本考案の請求項５の考案は、請求項１に記載の考案に於いて、閉まり止め機構が、スライド扉の裏面に設けられ、格納箱本体に設けた金属製の受け板又は格納箱本体自体に磁気吸着されてスライド扉を開放位置に保持するマグネットキャッチから成ることに特徴がある。
【００１７】
本考案の請求項６の考案は、請求項１に記載の考案に於いて、閉まり止め機構が、スライド扉の裏面に設けられ、格納箱本体に設けた受け金具又は格納箱本体自体に係脱自在に係止されるラッチ錠から成ることに特徴がある。
【００１８】
本考案の請求項７の考案は、請求項１に記載の考案に於いて、消火栓の操作方法を記載した表示部を、格納箱本体の消火栓機器の収納部とスライド扉との間に設けたことに特徴がある。
【００１９】
本考案の請求項８の考案は、請求項７に記載の考案に於いて、表示部が、格納箱本体の開口周縁部の下端縁部に斜め上方を向く姿勢で設けられていることに特徴がある。
【考案の効果】
【００２０】
本考案のスライド扉式消火栓格納箱は、消火栓弁やホース等の消火栓機器を収納する前面が開口された格納箱本体の前面に、格納箱本体の開口を開閉するスライド扉を横方向へスライド自在に取り付けているため、開放されたスライド扉が避難者や消火活動を行う人の邪魔になると云うことがなく、避難者が避難を円滑且つスムースに行えると共に、スライド扉がホースの引き出しに支障を来たすことがなく、操作性にも優れたものとなる。
【００２１】
また、本考案のスライド扉式消火栓格納箱は、スライド扉に、スライド扉を格納箱本体の開口を閉鎖する閉鎖位置に保持する開き止め機構を設けているため、スライド扉に歩行者や運搬物が接触しても、スライド扉が不用意に開いたりすると云う不具合がない。
【００２２】
更に、本考案のスライド扉式消火栓格納箱は、スライド扉に、スライド扉を格納箱本体の開口を開放する開放位置に保持する閉まり止め機構を設けているため、消火活動時に開いたスライド扉が容易に閉まらないようにすることができ、消火活動を妨げることがない。
【００２３】
更に、本考案のスライド扉式消火栓格納箱は、開き止め機構が、スライド扉を閉鎖位置にロックするロック機構と、ロック機構のロック状態を解除し得る取っ手ユニットとから構成され、また、ロック機構がラッチ錠又はマグネットキャッチから成るため、取っ手ユニットを操作することによって、スライド扉のロック状態を簡単且つ容易に解除することができ、ロック状態のスライド扉を迅速に開けることができる。
【００２４】
更に、本考案のスライド扉式消火栓格納箱は、消火栓の操作方法を記載した表示部を、格納箱本体の消火栓機器の収納部とスライド扉との間に設けているため、不使用時には、表示部が閉鎖位置にあるスライド扉により隠された状態となるので、デザイン的に優れたものとなり、また、使用時には、スライド扉が開放位置に移動したときに表示部を容易に認識できるので、消火栓の操作を容易に確認することができる。
特に、表示部を、格納箱本体の開口周縁部の下端縁部に斜め上方を向く姿勢で設けた場合には、使用者が表示部を極めて見易くなり、前記効果がより一層顕著に現れることになる。
【図面の簡単な説明】
【００２５】
【図１】本考案の実施の形態に係るスライド扉式消火栓格納箱を用いた屋内設置型の消火栓の正面図である。
【図２】同じく消火栓の横断面図である。
【図３】同じく消火栓の拡大縦断面図である。
【図４】スライド扉を外した状態の消火栓の正面図である。
【図５】スライド扉を全開した状態の消火栓の正面図である。
【図６】スライド扉を全開した状態の消火栓の横断面図である。
【図７】開き止め機構及び閉まり止め機構の拡大正面図である。
【考案を実施するための形態】
【００２６】
以下、本考案の実施の形態を図面に基づいて詳細に説明する。
図１〜図６は本考案の実施の形態に係るスライド扉式消火栓格納箱１を用いた屋内設置型の消火栓の一例を示し、当該消火栓は、病院や老人ホーム等の建物内の廊下や通路に面した壁面又は壁面に形成した凹部に設置されており、建物の廊下等の壁面に埋め込まれ、格納箱本体２及びスライド扉３等から成るスライド扉式消火栓格納箱１と、格納箱本体２内に配設された消火栓弁４と、基端部が消火栓弁４に接続された長尺状の保形ホース５と、保形ホース５の先端部に接続された開閉機構付のノズル６と、保形ホース５を渦巻き状に巻き取った状態で且つ引き出し可能に格納箱本体２内に保持する一対の回転自在なガイドローラ７とから成る補助散水栓に構成されている。
【００２７】
尚、前記屋内設置型の消火栓は、病院や老人ホームの廊下や通路の壁面に取り付けた手摺の下側に設置できる大きさに形成されており、壁面に設置するときに手摺を無くしたり、或いは消火栓に手摺を設置したりする必要なく、廊下や通路の壁面に手摺を連続して設置できるようにしたものであり、緊急時のストレッチャーや歩行器、車椅子での避難に於いても障害とならないようにしたものである。
【００２８】
また、前記屋内設置型の消火栓に於いては、格納箱本体２内に消火栓弁４や保形ホース５から成る消火栓機器を収納するようにしたが、格納箱本体２内に消火器や放水弁等の消火栓機器を収納するようにしても良い。
【００２９】
前記スライド扉式消火栓格納箱１は、図１〜図６に示す如く、前面が開口されて内部に消火栓弁４や保形ホース５等の消火栓機器を収容する格納箱本体２と、格納箱本体２の前面に一対のスライドレール８を介して取り付けられ、格納箱本体２の開口を閉鎖する閉鎖位置（図１及び図２に示す位置）と格納箱本体２の開口を全開する開放位置（図５及び図６に示す位置）とに亘って横方向（図５及び図６の左右方向へ）へスライド自在なスライド扉３と、スライド扉３に設けられ、スライド扉３を閉鎖位置に保持する開放操作可能な開き止め機構９と、スライド扉３に設けられ、スライド扉３を開放位置に保持する閉鎖操作可能な閉まり止め機構１０と、格納箱本体２の消火栓機器の収納部とスライド扉３との間に設けられ、消火栓の操作方法を記載した表示部１１とから構成されている。
【００３０】
即ち、格納箱本体２は、図２及び図３に示す如く、鋼板材により形成されており、前面が開放されたボックス状の後側本体２ａと、後側本体２ａの開口周縁部に複数本のボルト１２を介して取り付けられた枠状の前側本体２ｂとから成る。
また、枠状の前側本体２ｂの下端縁部の一部は、斜め上方へ向く傾斜面２ｂ′となっており、当該傾斜面２ｂ′に消火栓の操作方法を記載した長尺形状のシール１１ａ（図４及び図５参照）を貼れるようになっている。
【００３１】
一対のスライドレール８は、格納箱本体２の前面にスライド扉３を横方向へスライド自在に取り付けるものであり、格納箱本体２の前側本体２ｂの上端縁部前面及び下端縁部前面に格納箱本体２の幅方向に沿って取り付けられている。
【００３２】
即ち、両スライドレール８は、図３に示す如く、上端縁部及び下端縁部にボール案内溝を形成した長尺板状の固定側レール８ａと、上端縁部及び下端縁部にボール案内溝を形成した長尺板状の移動側レール８ｂと、固定側レール８ａと移動側レール８ｂとの間に位置し、上端縁部及び下端縁部に固定側レール８ａ及び移動側レール８ｂのボール案内溝に対向するボール案内溝を形成すると共に、中間部分同士を固着した長尺板状の一対の中間移動部材８ｃと、固定側レール８ａのボール案内溝と一方の中間移動部材８ｃのボール案内溝の間及び移動側レール８ｂのボール案内溝と他方の中間移動部材８ｃのボール案内溝の間にそれぞれ転動自在に挿入された複数のボール８ｄと、固定側レール８ａと一方の中間移動部材８ｃとの間及び移動側レール８ｂと他方の中間移動部材８ｃとの間にそれぞれ挿入され、ボール８ｄを保持するボールリテーナー８ｅとから構成されており、固定側レール８ａが格納箱本体２の前側本体２ｂの上端縁部前面及び下端縁部前面に固定され、また、移動側レール８ｂがスライド扉３の上端縁部裏面及び下端縁部裏面にレール取付用金具１３を介して固定されている。
従って、スライド扉３は、格納箱本体２の前面にスライドレール８を介して横方向へスライド自在に取り付けられ、格納箱本体２の開口を閉鎖する閉鎖位置と格納箱本体２の開口を全開する開放位置とを取り得るようになっている。
【００３３】
スライド扉３は、図１に示す如く、鋼板材により格納箱本体２の開口を完全に覆う大きさの長方形状に形成されており、上端部裏面及び下端部裏面にはスライドレール８を取り付けるためのレール取付用金具１３が設けられている。
また、スライド扉３の左側裏面には、開き止め機構９や閉まり止め機構１０を取り付けるための複数の固定用金具１４が設けられている共に、スライド扉３の左部分中間部には、開き止め機構９の取っ手ユニット１６を取り付けるための取付穴（図示省略）が形成されている。
【００３４】
開き止め機構９は、図１及び図７に示す如く、スライド扉３の裏面に設けられ、スライド扉３を閉鎖位置にロックするロック機構１５と、スライド扉３の取付穴に取り付けられ、ロック機構１５を操作してロック機構１５のロック状態を解除し得る取っ手ユニット１６とから構成されている。
【００３５】
具体的には、ロック機構１５は、スライド扉３の左側裏面に複数の固定用金具１４を介して取り付けられ、格納箱本体２に設けた棒状の受け金具１７に着脱自在に係止されるワイヤー式のラッチ錠１５から成る。
このワイヤー式のラッチ錠１５は、図７に示す如く、スライド扉３の左側上端部裏面に固定用金具１４を介して取り付けられ、先端部に格納箱本体２の前側本体２ｂの左上隅部に設けた軸状の受け金具１７が入り込む受け溝１５ａ′を形成したラッチケース１５ａと、ラッチケース１５ａに出没自在に挿入支持され、ラッチケース１５ａの受け溝１５ａ′の開口を開閉すると共に、先端部に傾斜状のカム面１５ｂ′を有する棒状のラッチ体１５ｂと、ラッチケース１５ａ内に配設され、ラッチ体１５ｂをラッチケース１５ａの受け溝１５ａ′の開口を閉鎖する位置に附勢保持する圧縮コイルスプリング１５ｃと、スライド扉３の裏面に複数の固定用金具１４を介して取り付けたガイド用チューブ１５ｄに摺動自在に挿通支持され、一端部がラッチ体１５ｂに連結されると共に、他端部が後述する取っ手ユニット１６の作動軸１６ｃに連結されたワイヤー１５ｅとから構成されている。
【００３６】
而して、前記ワイヤー式のラッチ錠１５によれば、後述する取っ手ユニット１６を操作してワイヤー１５ｅを牽引すると、ラッチ体１５ｂが圧縮コイルスプリング１５ｃの附勢力に抗してラッチケース１５ａ内に引っ込み、ラッチケース１５ａの受け溝１５ａ′が完全に開放され、ラッチケース１５ａが受け溝１５ａ′内に位置する受け金具１７から離脱可能となり、ロック状態が解除されることになる。
この状態でスライド扉３を開く方向へスライドさせると、ラッチケース１５ａが受け金具１７から離脱し、スライド扉３を開くことができる。
【００３７】
また、開いたスライド扉３を取っ手ユニット１６を操作せずに閉じて行くと、ラッチ錠１５のラッチ体１５ｂのカム面１５ｂ′が棒状の受け金具１７に当接して押圧され、これに伴ってラッチ体１５ｂが圧縮コイルスプリング１５ｃの附勢力に抗してラッチケース１５ａ内に押し込まれ、ラッチケース１５ａの受け溝１５ａ′が開放されて受け金具１７がラッチケース１５ａの受け溝１５ａ′内に入り込む。受け金具１７がラッチケース１５ａの受け溝１５ａ′内に入り込むと、ラッチ体１５ｂが圧縮コイルスプリング１５ｃの附勢力によりラッチケース１５ａから突出し、ラッチケース１５ａの受け溝１５ａ′を閉鎖する。これにより、ラッチ錠１５は、受け金具１７がラッチケース１５ａの受け溝１５ａ′内に拘束され、ロック状態となる。
尚、取っ手ユニット１６を操作してワイヤー１５ｅを牽引し、ラッチケース１５ａの受け溝１５ａ′を開放した状態でスライド扉３を閉じて行き、ラッチケース１５ａの受け溝１５ａ′内に受け金具１７が入った時点で取っ手ユニット１６から手を離し、ラッチ錠１５がロック状態になるようにしても良い。
【００３８】
一方、取っ手ユニット１６は、図７に示す如く、前面に窪み部を有し、スライド扉３の取付穴（図示省略）に挿着されたケース１６ａと、ケース１６ａの窪み部に手前側へ回動自在に軸支され、窪み部内に収納されるロック位置とケース１６ａから手前側へ突出するロック解除位置とに亘って回動操作される取っ手１６ｂと、ケース１６ａと取っ手１６ｂとの間に設けられ、取っ手１６ｂをロック位置に附勢保持するバネ（図示省略）と、ケース１６ａの下端から外方へ突出し、ワイヤー式のラッチ錠１５のワイヤー１５ｅに連結される作動軸１６ｃと、ケース１６ａ内に配設されて取っ手１６ｂと作動軸１６ｃとの間に介設され、取っ手１６ｂがロック位置からロック解除位置に回動したときに作動軸１６ｃをケース１６ａ側へ牽引するカム機構（図示省略）とから構成されている。
【００３９】
而して、前記取っ手ユニット１６によれば、スライド扉３が閉鎖されてラッチ錠１５によりロックされているときに、取っ手１６ｂをロック位置からロック解除位置へ回動させると、ケース１６ａ内のカム機構により作動軸１６ｃが牽引され、これに伴って作動軸１６ｃに連結されているラッチ錠１５のワイヤー１５ｅも牽引されることになり、その結果、ラッチ錠１５のロック状態が解除されることになる。
【００４０】
また、取っ手１６ｂから手を離すと、取っ手１６ｂがバネ（図示省略）の附勢力によりロック解除位置からロック位置へ回動し、このときにラッチ錠１５の圧縮コイルスプリング１５ｃの附勢力によりラッチ錠１５がロック状態となる。
【００４１】
閉まり止め機構１０は、スライド扉３の左側上端部裏面に固定用金具１４を介して取り付けられており、格納箱本体２の前側本体２ｂの右上隅部に設けた金属製の受け板１８に磁気吸着されてスライド扉３を開放位置に保持する従来公知のマグネットキャッチ１０から成る。
【００４２】
消火栓の操作方法を記載した表示部１１は、格納箱本体２の開口周縁部の下端縁部に斜め上方を向く姿勢で設けられている。
具体的には、表示部１１は、格納箱本体２の前側本体２ｂの下端縁部に形成した斜め上方へ向く傾斜面２ｂ′に、消火栓の操作方法を記載した長尺形状のシール１１ａを貼ることにより形成されている。
【００４３】
以上のように構成されたスライド扉式消火栓格納箱１は、通常時にはロック機構１５（ワイヤー式のラッチ錠１５）によりスライド扉３が閉鎖位置に保持されているのため、スライド扉３に歩行者や運搬物が接触しても、スライド扉３が不用意に開いたりすると云う不具合がない。
【００４４】
また、スライド扉式消火栓格納箱１は、スライド扉３が格納箱本体２の前面に対して平行に開閉するので、火災発生時にスライド扉３を開放しても、開放されたスライド扉３が避難者や消火活動を行う人の邪魔になると云うことがなく、避難者が避難を円滑且つスムースに行えると共に、スライド扉３が保形ホース５の引き出し支障を来たすことがなく、操作性にも優れたものとなる。
【００４５】
更に、スライド扉式消火栓格納箱１は、スライド扉３が開いたときにマグネットキャッチ１０から成る閉まり止め機構１０により閉鎖位置に保持されるため、消火活動時に開いた状態のスライド扉３が容易に閉まらないようにすることができ、消火活動を妨げることがない。
【００４６】
その上、スライド扉式消火栓格納箱１は、消火活動時にスライド扉３を開けたときに消火栓の表示方法を記載した表示部１１が格納箱本体２の開口周縁部の下端縁部に設けられているため、不使用時には、表示部１１が閉鎖位置にあるスライド扉３により隠された状態となるので、デザイン的に優れたものとなり、また、使用時には、スライド扉３が開放位置に移動したときに表示部１１を容易に認識できるので、消火栓の操作を容易に確認することができる。
特に、表示部１１は、格納箱本体２の開口周縁部の下端縁部に斜め上方を向く姿勢で設けられているため、使用者が表示部１１を極めて視認し易くなり、前記効果がより一層顕著に現れることになる。
【００４７】
このように、上述したスライド扉式消火栓格納箱１は、スライド扉３を格納箱本体２の開口を閉鎖する閉鎖位置と格納箱本体２の開口を全開する開放位置とにそれぞれ確実に保持し、消火栓の不使用時及び使用時にスライド扉３が不用意に開いたり、閉じたりしないようにし、また、消火活動時に消火栓の操作方法を容易に認識できる。
【００４８】
尚、上記の実施の形態に於いては、ロック機構１５にワイヤー式のラッチ錠１５を使用し、このラッチ錠１５と取っ手ユニット１６とをスライド扉３に別々に設けるようにしたが、他の実施の形態に於いては、図示していないが、取っ手ユニット１６にラッチ錠１５を組み込み、取っ手ユニット１６の操作によりラッチ錠１５が作動するようにし、取っ手ユニット１６に組み込んだラッチ錠１５によりスライド扉３を閉鎖位置に保持するようにしても良い。
【００４９】
また、上記の実施の形態に於いては、ロック機構１５にワイヤー式のラッチ錠１５を使用したが、他の実施の形態に於いては、図示していないが、ロック機構１５に他の形式のラッチ錠を使用しても良く、或いは、ロック機構１５にマグネットキャッチ１０を使用し、このマグネットキャッチ１０をスライド扉３の裏面に取り付け、格納箱本体２に設けた金属製の受け板１８又は格納箱本体２自体に磁気吸着させてスライド扉３を閉鎖位置に保持するしても良い。
【００５０】
更に、上記の実施の形態に於いては、ラッチ錠１５を格納箱本体２に設けた棒状の受け金具１７に係止させるようにしたが、他の実施の形態に於いては、ラッチ錠１５を格納箱本体２自体に直接係止させるようにしても良い。
【００５１】
更に、上記の実施の形態に於いては、スライド扉３の裏面に設けたマグネットキャッチ１０を格納箱本体２に設けた金属製の受け板１８に磁気吸着させるようにしたが、他の実施の形態に於いては、マグネットキャッチ１０を格納箱本体２自体に磁気吸着させてスライド扉３を閉鎖位置に保持するようにしても良い。
【００５２】
更に、上記の実施の形態に於いては、閉まり止め機構１０にマグネットキャッチ１０を使用したが、他の実施の形態に於いては、図示していないが、閉まり止め機構１０にラッチ錠を使用し、このラッチ錠をスライド扉３の裏面に取り付け、このラッチ錠によりスライド扉３を開放位置に保持するようにしても良い。
【００５３】
更に、上記の実施の形態に於いては、格納箱本体２の開口周縁部の下端縁部に消火栓の操作方法を記載した表示部１１を設けるようにしたが、他の実施の形態に於いては、表示部１１を格納箱本体２の開口周縁部の上端縁部又は左側縁部若しくは右側縁部の何れかに設けるようにしても良い。
【産業上の利用可能性】
【００５４】
本考案は、補助散水栓に用いたが、他の易操作性１号消火栓や２号消火栓、消火器格納箱にも利用できるものである。
【符号の説明】
【００５５】
１はスライド扉式消火栓格納箱、２は格納箱本体、３はスライド扉、９は開き止め機構、１０は閉まり止め機構（マグネットキャッチ）、１１は表示部、１５はロック機構（ラッチ錠）、１６は取っ手ユニット、１７は受け金具、１８は受け板。
【図１】
0003176294.tif 000003
【図２】
0003176294.tif 000004
【図３】
0003176294.tif 000005
【図４】
0003176294.tif 000006
【図５】
0003176294.tif 000007
【図６】
0003176294.tif 000008
【図７】
0003176294.tif 000009